(57)【要約】【課題】画像形成装置のセキュリテイを向上する。【解決手段】画像形成装置１は、装置本体２と、装置本体２に内蔵されデータを記憶するハードディスク６と、ハードディスク６が装置本体２から取り外されたことを検出するボタンセンサ１２と、装置本体２のメイン電源スイッチ５がＯＦＦの時にも作動可能なインターネット１４と、ハードディスク６が装置本体２から取り外されたことをボタンセンサ１２が検出したときにインターネット１４を介して外部に異常を報知する監視回路１３と、を備える。【選択図】図２
2007147960.tif 000002
【特許請求の範囲】
【請求項１】
装置本体に対する異常行為を検出する異常行為検出手段と、
前記装置本体のメイン電源がＯＦＦの時にも作動可能なネットワークシステムと、
前記異常行為検出手段が前記装置本体に対する異常行為を検出したときに前記ネットワークシステムを介して外部に異常を報知する報知手段と、
を備えることを特徴とする画像形成装置。
【請求項２】
前記装置本体にはデータを記憶する外部記憶装置が内蔵されており、
前記異常行為検出手段は、前記外部記憶装置が前記装置本体から取り外されたことを検出する離脱検出手段であることを特徴とする請求項１に記載の画像形成装置。
【請求項３】
前記異常行為検出手段は前記装置本体の振動を検出する振動センサであることを特徴とする請求項１または請求項２に記載の画像形成装置。
【発明の詳細な説明】
【技術分野】
【０００１】
この発明は、画像形成装置に関するものである。
【背景技術】
【０００２】
複写機、ファクシミリ、プリンタなどの画像形成装置には、装置本体にハードディスク等の外部記憶装置を内蔵し、読み込んだ画像データを外部記憶装置に一時的に記憶し、印刷する際に前記外部記憶装置から画像データを画像形成部に出力し、印刷するものがある（例えば、特許文献１参照）。また、近時では、画像形成装置をパーソナルコンピュータに接続し、パーソナルコンピュータから入力したデータを前記外部記憶装置に記憶しておき、必要なときに前記外部記憶装置からデータを出力し、印刷したり伝送したりすることもある。
【特許文献１】特開２００５−８６５８２号公報
【発明の開示】
【発明が解決しようとする課題】
【０００３】
このように、画像形成装置には重要な情報や極秘情報が外部記憶装置に蓄積されている場合がある。したがって、画像形成装置に対するセキュリテイは非常に重要であるが、従来はその対策が十分でなかった。
そこで、この発明は、セキュリテイに優れた画像形成装置を提供するものである。
【課題を解決するための手段】
【０００４】
この発明に係る画像形成装置では、上記課題を解決するために以下の手段を採用した。
請求項１に係る発明は、装置本体（例えば、後述する実施の形態における装置本体２）に対する異常行為を検出する異常行為検出手段（例えば、後述する実施の形態におけるボタンセンサ１２）と、前記装置本体のメイン電源（例えば、後述する実施の形態におけるメイン電源スイッチ５）がＯＦＦの時にも作動可能なネットワークシステム（例えば、後述する実施の形態におけるインターネット１４）と、前記異常行為検出手段が前記装置本体に対する異常行為を検出したときに前記ネットワークシステムを介して外部に異常を報知する報知手段（例えば、後述する実施の形態における監視回路１３）と、を備えることを特徴とする画像形成装置（例えば、後述する実施の形態における複写機１）である。
請求項２に係る発明は、請求項１に記載の発明において、前記装置本体にはデータを記憶する外部記憶装置（例えば、後述する実施の形態におけるハードディスク６）が内蔵されており、前記異常行為検出手段は、前記外部記憶装置が前記装置本体から取り外されたことを検出する離脱検出手段（例えば、後述する実施の形態におけるボタンセンサ１２）であることを特徴とする。
請求項３に係る発明は、請求項１または請求項２に記載の発明において、前記異常行為検出手段は前記装置本体の振動を検出する振動センサであることを特徴とする。
【発明の効果】
【０００５】
請求項１に係る発明によれば、装置本体に対して通常ではユーザが行わない異常行為（例えば、ハードディスクの取り外し、装置本体の分解など）が行われたときには、異常行為検出手段がこれを検出し、異常行為検出手段からの出力に基づいて報知手段がネットワークシステムを介して外部に異常を報知するので、異常行為が行われていることを即座に知ることができる。特に、ネットワークシステムは装置本体のメイン電源がＯＦＦの時にも作動可能であるので、深夜、休日などにも異常を報知することができ、セキュリテイが向上する。
請求項２に係る発明によれば、重要な情報や極秘情報が記憶されている外部記憶装置が持ち出されるのを抑制することができる。
請求項３に係る発明によれば、殆どの異常行為に対応することができ、セキュリテイが更に向上する。
【発明を実施するための最良の形態】
【０００６】
以下、この発明に係る画像形成装置の実施の形態を図１から図４の図面を参照して説明する。なお、この実施の形態における画像形成装置は複写機としての態様である。
図１は複写機（画像形成装置）１の正面図、図２は同背面図である。複写機１の装置本体２はその内部に、画像読取部、画像形成部、排紙部等（いずれも図示略）を備えている。
また、装置本体２の上部には、トレイ３に載置した原稿を前記画像読取部に自動的に送り込み排紙する原稿給排紙部４が設けられ、装置本体２の側部には複写機１のメイン電源スイッチ５が設けられている。
【０００７】
さらに、図２に示すように、複写機１は、外部記憶装置としてのハードディスク６を装置本体２の背面側に内蔵している。ハードディスク６は、前記画像読取部で読み込んだ画像データを一時的に記憶し、印刷する際に該画像データをハードディスク６から前記画像形成部に出力したり、複写機１に接続されているパーソナルコンピュータ（図示略）から入力したデータを記憶し、必要に応じて該データを前記画像形成部に出力する。
ハードディスク６は、装置本体２の背面にネジ７によって固定されたカバー８を取り外すと露出する位置に設置されている。
【０００８】
詳述すると、図３に示すように、ハードディスク６は２つの取り付け板９，９に跨って固定されており、カバー８を取り外した状態ではハードディスク６を取り付け板９，９から取り外すことができないように固定されている。そして、この取り付け板９，９をネジ１０，１０・・・によって装置本体２内部の壁部１１に固定することにより、ハードディスク６は装置本体２に取り付けられており、メンテナンス上必要があるときにはハードディスク６を取り付け板９，９とともに装置本体２の壁部１１から取り外すことができるように構成されている。
ただし、このハードディスク６の取り外しは、ユーザーにおける複写機１の管理者のみに許可されており、この管理者の監督の下にハードディスク６を取り外すときには、後述するインターネット１４による異常報知システムを一時的に切断して行う。したがって、管理者でない者がハードディスク６を装置本体２から取り外す行為は異常行為とみなされる。
【０００９】
図４に示すように、取り付け板９の裏側に当たる装置本体２にはボタンセンサ（離脱検出手段、異常行為検出手段）１２が設置されている。このボタンセンサ１２は、センサ本体１２ａから突没するコンタクタ１２ｂを備え、コンタクタ１２ｂはスプリング（図示せず）により突出する方向に付勢されている。ボタンセンサ１２は、コンタクタ１２ｂが引っ込んだ状態でＯＦＦ、突出した状態でＯＮとなるもので、ハードディスク６が装置本体２に正常に取り付けられているときには、図４（Ａ）に示すように、コンタクタ１２ｂが取り付け板９によって押し込められ、ボタンセンサ１２はＯＦＦになる。そして、ハードディスク６を装置本体２から取り外したときには、図４（Ｂ）に示すように、取り付け板９がコンタクタ１２ｂから離れるため、コンタクタ１２ｂが前記スプリングのばね力によって突出し、ボタンセンサ１２はＯＮになる。
【００１０】
このボタンセンサ１２は、装置本体２に内蔵された監視回路（報知手段）１３に接続されている。監視回路１３は、ボタンセンサ１２からＯＮ信号を入力したときに、ブザー（図示略）により警報を鳴らすとともに、インターネット（ネットワークシステム）１４を介して、所轄の警察、警備会社、複写機１の管理者など予め設定した指定連絡先に異常を報知するように構成されている。なお、ボタンセンサ１２、監視回路１３は、複写機１のメイン電源スイッチ５がＯＦＦの時にも電気が供給されて作動するように構成されており、インターネット１４はメイン電源スイッチ５のＯＮ／ＯＦＦに関わらず前記指定連絡先と常時接続可能に構成されている。
【００１１】
このように構成された複写機１においては、複写機１の管理者でない者が悪意を持ってハードディスク６を装置本体２から取り外そうとすると、取り外している途中でボタンセンサ１２がＯＮとなり、ブザーによる警報が鳴るので、ハードディスク６の取り外しを断念させることができる。また、ブザーによる警報と同時に、監視回路１３およびインターネット１４を介して指定連絡先へ異常が報知されるので、連絡を受けた者は直ちに複写機１の下へ急行することができる。
その結果、ハードディスク６に記憶されている情報が外部に流出するのを防止することができ、複写機１に対するセキュリテイが向上する。
特に、ボタンセンサ１２、監視回路１３がメイン電源スイッチ５がＯＦＦの時にも作動可能であり、インターネット１４はメイン電源スイッチ５のＯＮ／ＯＦＦに関わらず指定連絡先と常時接続可能であるので、深夜、休日などにも異常を報知することができ、セキュリテイが向上する。
【００１２】
なお、この発明は前述した実施の形態に限られるものではない。
例えば、画像形成装置は複写機に限るものではなく、ファクシミリ、プリンターなどであってもよい。
異常行為検出手段は、装置本体の振動を検出してＯＮとなる振動センサで構成することも可能である。このようにすると、ハードディスクの取り外しに限らず、装置本体の分解や画像形成装置の許可なき移動などの異常行為を検出することも可能になる。振動センサの場合には、その設置位置に特に限定はなく、装置本体の内部に設置しても外面に設置しても構わない。
また、振動センサの場合には、画像形成装置の通常の運転状態における振動で振動センサがＯＮして誤報知しないように、画像形成装置のメイン電源スイッチがＯＮのときには振動センサをＯＦＦにし、メイン電源スイッチがＯＦＦのときに振動センサをＯＮにするなどの誤報知防止の措置を講ずるのが好ましい。
また、装置本体の設置場所に、装置本体が設置場所から離脱したことを検出するボタンセンサ１２と同様の離脱検出手段を設置してもよい。
【図面の簡単な説明】
【００１３】
【図１】この発明に係る画像形成装置の正面図である。
【図２】前記画像形成装置の背面図である。
【図３】前記画像形成装置におけるハードディスク取付部の背面図である。
【図４】前記ハードディスク取付部の側面図である。
【符号の説明】
【００１４】
１  複写機（画像形成装置）
２  装置本体
５  メイン電源スイッチ（メイン電源）
６  ハードディスク（外部記憶装置）
１２  ボタンセンサ（離脱検出手段、異常行為検出手段）
１３  監視回路（報知手段）
１４  インターネット（ネットワークシステム）
【図１】
2007147960.tif 000003
【図２】
2007147960.tif 000004
【図３】
2007147960.tif 000005
【図４】
2007147960.tif 000006